(57)【要約】【課題】バッテリ電源がオフ状態でフォーマット処理が必要な媒体が装着された時にフォーマット処理を実行することにより、電源をオンして撮影等の記録開始可能になるまでの時間を短縮することが可能な情報記録再生装置を提供する。【解決手段】バッテリ電源５２をオフしている状態で装置本体にディスク４６が装着された場合、バッテリ電源５２をオンし、ディスク４６がフォーマット済みか否かを判定する。そして、ディスク４６がフォーマット済ではないと判定された場合、自動でディスク４６のフォーマット処理を実行する。或いは、ディスク４６のフォーマット処理を行うか否かをモニタ３０にメッセージを表示する等してユーザに問い合わせ、ユーザからフォーマット処理が指示された時にディスク４６のフォーマット処理を実行する。【選択図】図１
2007242086.tif 000002
【特許請求の範囲】
【請求項１】
バッテリ電源によって駆動し、情報記録媒体に情報を記録又は再生する情報記録再生装置において、前記バッテリ電源をオフしている状態で前記情報記録媒体が装着された場合、前記バッテリ電源をオンし、前記情報記録媒体がフォーマット済みか否かを判定する判定手段を有することを特徴とする情報記録再生装置。
【請求項２】
前記判定手段により前記情報記録媒体がフォーマット済ではないと判定された場合、前記情報記録媒体のフォーマット処理を実行する手段を有することを特徴とする請求項１に記載の情報記録再生装置。
【請求項３】
前記判定手段により前記情報記録媒体がフォーマット済ではないと判定された場合、前記情報記録媒体のフォーマット処理を行うか否かをユーザに問い合わせ、前記ユーザからフォーマット処理が指示された時に前記情報記録媒体のフォーマット処理を実行する手段を有することを特徴とする請求項１に記載の情報記録再生装置。
【発明の詳細な説明】
【技術分野】
【０００１】
本発明は、光ディスク等の情報記録媒体に音声信号や映像信号等を記録又は再生する情報記録再生装置、特に、フォーマットが必要な媒体が装着された場合の処理に関するものである。
【背景技術】
【０００２】
従来、映像信号や音声信号等を記録再生し、且つ、バッテリで駆動する情報記録再生装置として、例えば、特開２００４−３２６９３３号公報に開示されたものがある（特許文献１）。同公報のものは、待機状態と動作状態との間を移行する電源待機動作切り替え手段を持ち、待機状態での媒体交換時に自動的に装置全体の電源を投入して動作状態にする。そして、動作状態の時に媒体種別、サーボ制御値、記録レーザパワーの最適値を求め、得られた結果を不揮発メモリに記憶させて、装置全体を再び待機状態に移行させる。
【０００３】
その後、撮像を目的として装置全体の電源投入がされた場合には、物理的なディスク特性に基づく媒体判別処理とサーボ制御値、記録レーザパワーの最適値の学習処理を実行せずに、不揮発メモリから情報を読み出す。
【０００４】
同公報のものは、電源投入時にドライブ装置内でディスクの有無を確認後、ピックアップを内周に移動させてディスクの管理情報をリードし終わるのを待つ必要がなく、電源を投入してから記録可能になるまでの時間を短縮できる。
【特許文献１】特開２００４−３２６９３３号公報
【発明の開示】
【発明が解決しようとする課題】
【０００５】
特許文献１のものでは、フォーマットが必要なディスク記録媒体に関しては、特には考慮されていない。フォーマットとは、ディスク記録媒体において未だ情報の記録が行われず、初期化が実行されていないディスク記録媒体を、装置に装着し情報の記録を行う場合に必要な処理であり、ディスク記録媒体に対してデータ読み書き可能な区画整理を行うことである。
【０００６】
一般に、この種のフォーマットとしては、ＵＤＦ（UniversalDisk Format）が知られている。このＵＤＦは各種光ディスクのデバイスに利用され、それぞれのデバイスの特徴に適合した記録フォーマットが採用されている。例えば、ＣＤ−ＲＷでのフォーマットでは、最初にディスクの内周側にあるリードインと呼ばれる領域の記録設定を行う区画整理が行われ、その後、ユーザデータ領域の全面或いは指定領域が固定長（例えば２ＫＢ）単位で初期化される。この状態でフォーマット済みの領域に対してランダムに記録・再生が可能になる。
【０００７】
この場合、フォーマット中にはユーザからアクセスはできず、フォーマット処理が終了するまでディスクにデータを記録できない。また、ＤＶＤ−ＲＷやＤＶＤ＋ＲＷにおいても、データが記録可能な状態にするフォーマット処理を行っており、フォーマット処理が終了するまでディスクへのデータの記録は出来ない。
【０００８】
従来の技術では、装置にフォーマットが必要なディスクが装着された場合、ユーザが撮像を目的として装置全体の電源投入を行うまで、フォーマット処理が必要なことが通知されず、フォーマット処理を実行出来ない。そのため、撮影場所で電源を入れた場合には、すぐに撮影を開始できないといった課題があった。
【０００９】
本発明の目的は、バッテリ電源がオフ状態でフォーマット処理が必要な媒体が装着された時にフォーマット処理を実行することにより、電源をオンして撮影等の記録開始可能になるまでの時間を短縮することが可能な情報記録再生装置を提供することにある。
【課題を解決するための手段】
【００１０】
本発明は、バッテリ電源をオフしている状態で情報記録媒体が装着された場合、バッテリ電源をオンし、情報記録媒体がフォーマット済みか否かを判定する。また、情報記録媒体がフォーマット済ではないと判定された場合には、自動で情報記録媒体のフォーマット処理を実行する。或いは情報記録媒体のフォーマット処理を行うか否かをユーザに問い合わせ、ユーザからフォーマット処理が指示された時に情報記録媒体のフォーマット処理を実行する。
【発明の効果】
【００１１】
本発明によれば、待機状態で情報記録媒体が装着された場合、フォーマット処理が必要か否かを判定し、フォーマット処理が必要であれば自動でフォーマット処理を実行することにより、後で撮影場所等で電源を入れた場合にすぐに撮影等の記録を開始できる。また、フォーマット処理を行うか否かを問い合わせ、ユーザからフォーマット処理を指示された時にフォーマット処理を実行することで、同様に電源を入れた場合にすぐに撮影等の記録を開始できる。
【発明を実施するための最良の形態】
【００１２】
次に、発明を実施するため最良の形態について図面を参照して詳細に説明する。図１は本発明に係る情報記録再生装置の一実施形態を示すブロック図である。図中５２はバッテリ電源であり、バッテリ電源５２はバックアップ電源５４を充電する。システムコントローラ５０はバックアップ電源５４によって常時オン状態とされる。
【００１３】
４６は光ディスク等の情報記録媒体であり、装置本体に対して着脱可能である。以下、情報記録媒体を単にディスクという。ディスクセンサ６４はディスク４６がスロット４８にセットされたことを検出し、スロットセンサ６６はスロット４８が開状態から閉状態に移行したことを検出する。
【００１４】
ディスクコントローラ３８は撮像部２２で撮影された映像信号や音声信号等をディスク４６に記録或いは再生するコントローラである。ディスクコントローラ３８は、後述するように光ピックアップ４０内のレーザ光源の最適記録パワー及び再生パワー等を決定する処理も行う。光ピックアップ４０はディスク４６に光ビームを照射して情報の記録或いは再生を行う。スピンドルモータ４４はディスク４６を回転駆動する。
【００１５】
ユーザが電源スイッチ５８をオンすると、システムコントローラ５０はスイッチＳＷ１をオンし、ＣＰＵ３４を含むシステム全体にバッテリ電源５２の電力を供給すると共に、電源スイッチ５８がオン状態であることを示す状態信号をＣＰＵ３４に通知する。
【００１６】
ユーザが電源スイッチ５８をオン状態からオフ状態に切り替えると、システムコントローラ５０は電源スイッチ５８がオフ状態であることを示す状態信号をＣＰＵ３４に出力し、所定時間経過後にスイッチＳＷ１をオフしてシステム全体への電力供給を停止する。
【００１７】
電源スイッチ５８がオンされたことを示す状態信号が通知されると、ＣＰＵ３４はディスク管理情報を不揮発メモリ３６から読み出し、読み出したディスク管理情報に基づいて記録及び再生動作のための環境設定を行う。
【００１８】
即ち、ディスク管理情報には、ディスク４６を識別するディスクＩＤや記録済みデータの記録日時やディスク上の記録開始アドレス、データサイズ等が含まれている。ディスク管理情報の記録済み領域よりディスク４６上の空き領域を求め、記録開始アドレスを決定する。環境設定が完了すると、ＣＰＵ３４は不揮発メモリ３６から最適レーザパワー値を読み出し、読み出した最適レーザパワー値をディスクコントローラ３８に通知する。ディスクコントローラ３８はそれに基づいて光ピックアップ４０のレーザパワーを設定する。
【００１９】
ディスクコントローラ３８によりレーザパワーの設定が終わると、ディスクコントローラ３８は記録可能な状態となる。また、再生時についても電源スイッチ５８がオンされると、不揮発メモリ３６に格納されたディスク管理情報から記録済みデータの開始アドレスやデータサイズを読み出し、ディスク４６に記録されている映像データの先頭アドレスを設定する。環境設定が完了すると、ディスクコントローラ３８は再生可能な状態となる。
【００２０】
データ記録時に撮像部２２から入力された映像信号及び音声信号はメモリ制御回路２４に出力され、メモリ制御回路２４によってＳＤＲＡＭ２６に書き込まれる。一方、ＭＰＥＧエンコーダ２８は映像信号及び音声信号の読み出しをメモリ制御回路２４にリクエストし、メモリ制御回路２４によって読み出された映像信号及び音声信号をＭＰＥＧエンコードする。
【００２１】
エンコードされた映像信号はディスクコントローラ３８に転送され、ディスク４６に記録される。また、再生時にはディスク４６から読み出したデータをＭＰＥＧデコーダ３２によってデコードしてモニタ３０等の表示装置に出力する。
【００２２】
また、電源スイッチ５８がオフされたことを示す状態信号が通知されると、ＣＰＵ３４はディスク管理情報をディスクコントローラ３８に要求する。ディスクコントローラ３８がＣＰＵ３４からの要求を受けると、処理中の記録再生処理終了後に現時点のディスク管理情報をＣＰＵ３４に返送する。ＣＰＵ３４は返送されたディスク管理情報を不揮発メモリ３６に格納し、検出終了通知をシステムコントローラ５０に出力する。システムコントローラ５０はスイッチＳＷ１をオフし、ＣＰＵ３４を含むシステム全体への電源供給をオフする。
【００２３】
次に、図２のフローチャートを用いてバッテリ電源５２がオフされている状態でディスク４６を挿入した場合の動作を説明する。まず、ディスク４６が挿入されると、ディスクセンサ６４がスロット４８にディスク４６がセットされたことを検出し、且つ、スロットセンサ６６がスロット４８の閉状態への移行を検出する。システムコントローラ５０はこれらのセンサ６４、６６からの信号によりディスク４６が装着されたことを検出する。
【００２４】
次に、ステップＳ２１でシステムコントローラ５０は電源スイッチ５８がオンかどうかを判別する。電源スイッチ５８がオンの場合には、Ｓ２２へ進み、上述した通常処理を行う。即ち、上述のようにディスク管理情報に基づいて情報の記録或いは再生のための環境設定等を行い、ディスクコントローラ３８によりディスク４６に情報の記録又は再生を行う。
【００２５】
一方、電源スイッチ５８がオフの場合には、システムコントローラ５０はスイッチＳＷ１をオンし、ディスク４６が装着されたことを示す状態信号をＣＰＵ３４に出力する。ＣＰＵ３４はディスク４６が装着されたことを示す状態信号が通知されると、Ｓ２３でディスク４６をリードしてディスク４６に管理情報が記録されているかを調べ、フォーマット済みディスクかどうかを判定する。
【００２６】
Ｓ２３でフォーマット済みではないディスクと判定した場合には、ＣＰＵ３４はＳ２４でフォーマットが必要なディスクである旨のメッセージをモニタ３０等の表示装置に表示する。次に、Ｓ２５でＣＰＵ３４はディスクコントローラ３８に学習指示を出力する。
【００２７】
学習指示を受け付けると、ディスクコントローラ３８はスピンドルモータ４４によりディスク４６を回転させ、光ピックアップ４０を駆動してディスク４６にレーザパワー値を変えてテストライト及びテストリードを繰り返し、最適レーザパワー値（最適記録パワー値）を決定する。最適レーザパワー値を決定すると、ディスクコントローラ３８は学習処理の終了をＣＰＵ３４に通知する。
【００２８】
ＣＰＵ３４はＳ２６で学習処理終了通知に応答して、最適レーザパワー値をディスクコントローラ３８に要求する。ディスクコントローラ３８はこの要求に応答して、上述のテストライト及びテストリードによって決定した最適レーザパワー値をＣＰＵ３４に返送する。
【００２９】
次いで、Ｓ２７に進み、ユーザの選択によりフォーマット処理を実行するか否かを判定する。即ち、Ｓ２４におけるフォーマット処理が必要である旨の表示に対するユーザの応答によりフォーマット処理を実行するか否かを判定する。
【００３０】
Ｓ２７でＹｅｓの場合には、ディスク４６のフォーマット処理を実行するため、ＣＰＵ３４はディスクコントローラ３８にフォーマット実行指示を出力する。ディスクコントローラ３８はフォーマット実行指示を受け付けると、Ｓ２８でディスク４６をデータ記録可能な状態にするフォーマット処理を行う。フォーマット処理を完了すると、ＣＰＵ３４はＳ２９で返送された最適レーザパワー値を不揮発メモリ３６に保存する。
【００３１】
一方、Ｓ２７でＮｏの場合には、フォーマット処理を実行せずに、ＣＰＵ３４は最適レーザパワー値を不揮発メモリ３６に保存する（Ｓ２９）。この時、ディスク４６はフォーマットされていないので、電源投入時にユーザにフォーマットが必要なことを通知し、ユーザの選択によりフォーマット処理を行う。最後に、Ｓ３０でシステムコントローラ５０はスイッチＳＷ１をオフして処理を終了する。
【００３２】
また、Ｓ２３でフォーマット済みディスクであると判定した場合には、ＣＰＵ３４はＳ３１でディスクコントローラ３８に学習指示を出力する。学習指示を受け付けると、ディスクコントローラ３８は同様にスピンドルモータ４４によりディスク４６を回転させ、光ピックアップ４０を駆動して、ディスク４６にテストライト及びテストリードを繰り返し行い、最適レーザパワー値を決定する（Ｓ３１）。最適レーザパワー値が決定すると、ディスクコントローラ３８は学習処理の終了をＣＰＵ３４に通知する（Ｓ３１）。
【００３３】
ＣＰＵ３４はＳ３２で学習処理終了通知に応答して、最適レーザパワー値とディスク管理情報（ディスクＩＤや記録済みデータの記録日時等）をディスクコントローラ３８に要求する。ディスクコントローラ３８はこの要求に応答して、上述のテストライト及びテストリードによって特定した最適レーザパワー値と、ディスク４６の内周側にある管理領域エリアから読み出したディスク管理情報をＣＰＵ３４に返送する。
【００３４】
次に、Ｓ２９に進み、ＣＰＵ３４は上述の最適レーザパワー値及びディスク管理情報を不揮発メモリ３６に保存する。最後に、Ｓ３０でシステムコントローラ５０はスイッチＳＷ１をオフして処理を終了する。
【００３５】
なお、図２のフローチャートではＳ２７でフォーマット処理を実行するか否かを判定しているが、本発明は、これに限ることなく、フォーマット処理が必要なディスクの場合には、自動でフォーマットする構成でも良い。
【図面の簡単な説明】
【００３６】
【図１】本発明の一実施形態の構成を示すブロック図である。
【図２】図１の動作を示すフローチャートである。
【符号の説明】
【００３７】
２２  撮像部
２４  メモリ制御回路
２６  ＳＤＲＡＭ
２８  ＭＰＥＧエンコーダ
３０  モニタ
３２  ＭＰＥＧデコーダ
３４  ＣＰＵ
３６  不揮発メモリ
３８  ディスクコントローラ
４０  光ビックアップ
４４  スピンドルモータ
４６  ディスク
４８  スロット
５０  システムコントローラ
５２  バッテリ電源
５４  バックアップ電源
５８  電源スイッチ
６４  ディスクセンサ
６６  スロットセンサ
ＳＷ１  スイッチ
【図１】
2007242086.tif 000003
【図２】
2007242086.tif 000004